(57)【特許請求の範囲】
【請求項１】
シートにトナー画像を形成する像形成手段と、前記像形成手段によりシートに形成されたトナー画像を定着する離間可能な定着ローラ対とを有する画像形成装置であって、
交流電源から電力供給され、直流の第一の電源電圧と第二の電源電圧とを出力する直流電源と、
前記交流電源と前記直流電源との間に設けられ、オン及びオフされる電源スイッチと、
前記電源スイッチのオン及びオフの状態を示す信号を出力するスイッチ検出信号出力手段と、
前記直流電源から前記第一の電源電圧が供給され、前記画像形成装置の動作を制御する制御回路と、
前記制御回路からの信号により制御され、前記電源スイッチがオフされた後も前記交流電源から前記直流電源への電力供給を維持させる維持手段と、
前記直流電源から前記第二の電源電圧が供給されるよう接続され、前記画像形成装置の負荷を駆動する第一の駆動手段と、
前記直流電源から前記第二の電源電圧が供給されるよう接続され、前記定着ローラ対の離間および当接を行う第二の駆動手段と、
前記電源スイッチのオフに同期して、前記第一の駆動手段へ供給される前記第二の電源電圧を遮断する一方、前記第二の駆動手段への前記第二の電源電圧の供給を維持する遮断手段と、
を有し、前記制御回路は、前記スイッチ検出信号出力手段からの前記電源スイッチのオフを示す信号を受信することに応じて、前記第二の駆動手段により前記定着ローラ対を離間させることを特徴とする画像形成装置。
【請求項２】
前記制御回路は、前記定着ローラ対が離間された後に、前記維持手段による前記交流電源から前記直流電源への電力供給の維持を停止させることを特徴とする請求項１記載の画像形成装置。
【請求項３】
前記第二の駆動手段により駆動され、前記定着ローラ対の離間及び当接を行わせるためのカム部材と、
前記定着ローラ対が離間状態になる位置に前記カム部材があることを検知し、信号を出力する検知手段を有し、
前記制御回路は、前記検知手段からの信号を受信すると、前記維持手段による前記交流電源から前記直流電源への電力供給の維持を停止させることを特徴とする請求項２記載の画像形成装置。
【請求項４】
前記維持手段は、前記交流電源と前記直流電源との間に設けられるリレーを有し、
前記制御手段は、前記電源スイッチがオンされることに応じて前記リレーを導通させ、前記主電源スイッチがオフされた後の前記定着ローラ対の離間後に前記リレーを遮断することを特徴とする請求項１〜３の何れか１項に記載の画像形成装置。
【請求項５】
シートにトナー画像を形成する像形成手段と、前記像形成手段によりシートに形成されたトナー画像を定着する離間可能な定着ローラ対とを有する画像形成装置であって、
交流電源から電力供給され、直流の第一の電源電圧と第二の電源電圧とを出力する直流電源と、
前記交流電源と前記直流電源との間に設けられ、オン及びオフされる電源スイッチと、
前記電源スイッチのオン及びオフの状態を示す信号を出力するスイッチ検出信号出力手段と、
前記直流電源から前記第一の電源電圧が供給され、前記画像形成装置の動作を制御する制御回路と、
前記交流電源と前記直流電源との間に前記電源スイッチと並列に接続され、前記制御回路からの信号によりオン及びオフされる第一のリレーと、
前記直流電源から前記第二の電源電圧が供給されるよう接続され、前記画像形成装置の負荷を駆動する第一の駆動手段と、
前記直流電源から前記第一の駆動手段へ供給される前記第二の電源電圧が供給されるよう接続され、前記定着ローラ対の離間および当接を行う第二の駆動手段と、
前記第一の駆動手段へ前記第二の電源電圧が供給される電源経路に設けられ、前記電源スイッチのオンおよびオフに同期して前記第一の駆動手段への前記第二の電源電圧を供給或いは遮断する第二のリレーと、
を有し、前記制御回路は、前記スイッチ検出信号出力手段からの前記電源スイッチのオフを示す信号を受信することに応じて、前記第二の駆動手段により前記定着ローラ対を離間させることを特徴とする画像形成装置。
【請求項６】
前記制御回路は、前記定着ローラ対が離間された後に、前記第一のリレーをオフすることを特徴とする請求項３記載の画像形成装置。
【請求項７】
前記第二の駆動手段により駆動され、前記定着ローラ対の離間及び当接を行わせるためのカム部材と、
前記定着ローラ対が離間状態になる位置に前記カム部材があることを検知し、信号を出力する検知手段を有し、
前記制御手段は、前記検知手段からの信号を受信すると、前記第一のリレーをオフすることを特徴とする請求項６記載の画像形成装置。
【発明の詳細な説明】
【技術分野】
【０００１】
本発明は画像形成装置の主電源スイッチ遮断時の制御に関する。
【背景技術】
【０００２】
画像形成装置の定着装置においては、定着ローラと加圧ローラとが加圧されたまま画像形成することなく長時間放置されると、定着ローラの同一の位置が加圧され続けることになるため、加圧し続けられた部分が変形してしまう。そして、画像形成を再び行う際に、定着ローラの変形が戻るまでの間は、定着不良が発生してしまう惧れがある。
【０００３】
そこで、特許文献１では、定着ローラと加圧ローラとを離間させる機構を設け、画像形成装置の電源がオフされた後に、定着器の熱を電気エネルギーに変換して離間機構を動作させるようになっている。この構成によれば、画像形成装置の電源が遮断された後でも離間機構を動作させることができる。
【０００４】
しかし、特許文献１では、熱エネルギーを電気エネルギーに変換するための機構が必要になり、装置のコストが高くなってしまう。
【０００５】
そこで、画像形成装置の主電源スイッチがオフされても、一定時間電源を維持させて、定着ローラを離間させた後、電源をオフすることが考えられる。しかし、安全性の観点より、ユーザが主電源スイッチをオフした際には、ヒータなどへの電力供給を即時遮断することが望まれる。
【先行技術文献】
【特許文献】
【０００６】
【特許文献１】特開２００５−１２２１６８号公報
【発明の概要】
【発明が解決しようとする課題】
【０００７】
そこで図５に示すような回路が考えられる。第一の直流電源５０１は、制御回路５１２のための電源ＶＣＣ＿Ａ（５Ｖ）を出力する。第二の直流電源５０４は、当接／離間モータ５１５を動作させる離間駆動回路５１４及びその他のモータ等の負荷を駆動するための電源ＶＣＣ＿Ｂ（２４Ｖ）を出力する。主電源スイッチ５０２がオンされると、第一の直流電源５０１からの出力が主電源スイッチ５０２の状態検出用スイッチを介して制御回路５１２へ入力され、制御回路５１２はリレー５０３をオンさせる。尚、主電源スイッチ５０２の３つのスイッチは連動している。従って、主電源スイッチ５０２がオフされてもリレー５０３を介して交流電力が第一の直流電源５０１に供給されつづける。一方、第二の直流電源５０４は、主電源スイッチがオフされると直ちに交流電力が遮断される。第一の直流電源５０１および第二の直流電源５０４のいずれの電源からの電力供給でも、離間駆動回路５１４が動作可能なように直流供給回路５０５が設けられる。
【０００８】
この構成によれば、主電源スイッチ５０２がオンの状態においては、第二の直流電源５０４からの電力によって定着ローラの離間駆動を行うが、主電源スイッチがオフされたときは、第一の直流電源５０１からの電力によって定着ローラの離間駆動を行う。制御回路５１２は定着ローラの離間動作が終了した後に、シャットダウン信号を出力しリレー５０３をオフすることにより、第一の直流電源５０１への交流電力も遮断されて、画像形成装置の全電源をオフする。
【０００９】
しかし、定着ローラの離間動作をさせるための離間／当接モータ５１５および離間駆動回路５１４は、第一の直流電源５０１と第二の直流電源５０４の両方の電源電圧にて動作しなければならない。そのため、安価な単一電源で動作可能な駆動回路に比べて装置のコストアップを招いてしまう。
【００１０】
また、第一の直流電源５０１および第二の直流電源５０４のそれぞれに対して、個別にＡＣ給電を行う必要がある。そこで、ＡＣ給電を行うケーブル５３０、５３１が必要であるが、一般的にＡＣ給電用に用いるケーブルは直流給電用のケーブルに対して高価であるため、この給電ケーブルにおいてもコストアップを招いてしまうという課題がある。
【課題を解決するための手段】
【００１１】
上記の課題を解決するために、本発明の画像形成装置は、シートにトナー画像を形成する像形成手段と、前記像形成手段によりシートに形成されたトナー画像を定着する離間可能な定着ローラ対とを有する画像形成装置であって、交流電源から電力供給され、直流の第一の電源電圧と第二の電源電圧とを出力する直流電源と、前記交流電源と前記直流電源との間に設けられ、オン及びオフされる電源スイッチと、前記電源スイッチのオン及びオフの状態を示す信号を出力するスイッチ検出信号出力手段と、前記直流電源から前記第一の電源電圧が供給され、前記画像形成装置の動作を制御する制御回路と、前記制御回路からの信号により制御され、前記電源スイッチがオフされた後も前記交流電源から前記直流電源への電力供給を維持させる維持手段と、前記直流電源から前記第二の電源電圧が供給されるよう接続され、前記画像形成装置の負荷を駆動する第一の駆動手段と、前記直流電源から前記第二の電源電圧が供給されるよう接続され、前記定着ローラ対の離間および当接を行う第二の駆動手段と、前記電源スイッチのオフに同期して、前記第一の駆動手段へ供給される前記第二の電源電圧を遮断する一方、前記第二の駆動手段への前記第二の電源電圧の供給を維持する遮断手段と、を有し、前記制御回路は、前記スイッチ検出信号出力手段からの前記電源スイッチのオフを示す信号を受信することに応じて、前記第二の駆動手段により前記定着ローラ対を離間させることを特徴とする。
【００１２】
また、本発明の画像形成装置は、シートにトナー画像を形成する像形成手段と、前記像形成手段によりシートに形成されたトナー画像を定着する離間可能な定着ローラ対とを有する画像形成装置であって、交流電源から電力供給され、直流の第一の電源電圧と第二の電源電圧とを出力する直流電源と、前記交流電源と前記直流電源との間に設けられ、オン及びオフされる電源スイッチと、前記電源スイッチのオン及びオフの状態を示す信号を出力するスイッチ検出信号出力手段と、前記直流電源から前記第一の電源電圧が供給され、前記画像形成装置の動作を制御する制御回路と、前記交流電源と前記直流電源との間に前記電源スイッチと並列に接続され、前記制御回路からの信号によりオン及びオフされる第一のリレーと、前記直流電源から前記第二の電源電圧が供給されるよう接続され、前記画像形成装置の負荷を駆動する第一の駆動手段と、前記直流電源から前記第一の駆動手段へ供給される前記第二の電源電圧が供給されるよう接続され、前記定着ローラ対の離間および当接を行う第二の駆動手段と、前記第一の駆動手段へ前記第二の電源電圧が供給される電源経路に設けられ、前記電源スイッチのオンおよびオフに同期して前記第一の駆動手段への前記第二の電源電圧を供給或いは遮断する第二のリレーと、を有し、前記制御回路は、前記スイッチ検出信号出力手段からの前記電源スイッチのオフを示す信号を受信することに応じて、前記第二の駆動手段により前記定着ローラ対を離間させることを特徴とする。
【発明の効果】
【００１３】
本発明によれば、主電源スイッチをオフ時に、安価な構成で、負荷への電力供給を即座に遮断しつつ、定着ローラ対の離間動作を行うための電源を維持することができ、安全性の確保と定着ローラの変形、装置のコストアップを防止することができる。
【図面の簡単な説明】
【００１４】
【図１】画像形成装置の構成を示す断面図
【図２】画像形成装置の電源構成を示す図
【図３】定着ローラ対の当接／離間機構を示す図
【図４】制御回路の動作を示すフローチャート
【図５】画像形成装置の電源構成の一例を示す図
【発明を実施するための形態】
【００１５】
（第１の実施の形態）
図１は、本発明を適用する画像形成装置の全体構成を示す概略断面図である。画像形成装置は、画像読取部１Ｒと、画像出力部１Ｐとを有する。画像読取部１Ｒは、原稿画像を光学的に読み取り、電気信号に変換して画像出力部１Ｐに送信する。画像出力部１Ｐは、４つ並設された画像形成部１０（１０ａ、１０ｂ、１０ｃ、１０ｄ）と、給紙ユニット２０と、中間転写ユニット３０と、定着ユニット４０と、クリーニングユニット５０と、制御ユニット８０とを有する。画像形成部１０ａ、１０ｂ、１０ｃ、１０ｄはそれぞれ、ブラック、シアン、マゼンタ、イエローのトナー画像を形成する。各画像形成部の構成は同一であるため、最も上流側に配置されるイエローの画像形成部１０ｄについて説明する。
【００１６】
第一の像担持体としてのドラム状の電子写真感光体、即ち、感光体ドラム１１ｄが回転自在に軸支され、図の矢印方向に回転駆動される。感光体ドラム１１ｄの外周面に対向してその回転方向に一次帯電器１２ｄ、光学系１３ｄ、折り返しミラー１６ｄ、現像装置１４ｄ及びクリーニング装置１５ｄが配置されている。一次帯電器１２ｄにより帯電高圧（１〜２ＫＶ）が感光体ドラム１１ｄに印加され、その表面は均一に帯電される。次いで、光学系１３ｄにより、記録画像信号出力部１Ｒからの記録画像信号に応じて変調されたレーザービームが折り返しミラー１６ｄを介して感光体ドラム１１ｄ上に照射され、静電潜像が形成される。静電潜像は、ブラックのトナーを収納した現像装置１４ｄによって顕像化される。顕像化されたトナー画像は画像転写領域Ｔｄにて転写高圧（１〜２ＫＶ）が印加され、中間転写ユニット３０を構成する第二の像担持体としてのベルト状の中間転写体、即ち、中間転写ベルト３１に転写される。中間転写ベルト３１に転写されずに感光体ドラム１１ｄ上に残されたトナーはクリーニング装置１５ｄにより掻き落とされ、ドラム表面が清掃される。以上に示したプロセスが画像形成部１０ｃ，１０ｂ，１０ａにより行われ、イエロー、マゼンタ、シアン、ブラックの各トナー画像が中間転写ベルト３１に重ねて転写される。
【００１７】
給紙ユニット２０としては、シートＰを収納するためのカセット２１ａ、２１ｂ及び手差しトレイ２７が設けられている。更に、カセット２１ａ、２１ｂ、手差しトレイ２７よりシートＰを一枚ずつ送り出すためのピックアップローラ２２ａ、２２ｂ、２６が設けられている。各ピックアップローラ２２ａ、２２ｂ、２６から送り出されたシートＰは給紙ローラ対２３によりレジストレーションローラ２５（２５ａ，２５ｂ）まで搬送される。、レジストレーションローラ２５は、中間転写ベルト３１に転写されたトナー画像の位置に合せたタイミングでシートＰを二次転写領域Ｔｅへ送り出す。
【００１８】
レジストレーションローラ２５から送り出されたシートＰは二次転写領域Ｔｅにてトナー画像を転写され、搬送ベルト４３によって定着ユニット４０へと搬送される。定着ユニット４０は離間可能な定着ローラ対４１（４１ａ、４１ｂ）によってシートＰを加熱・加圧し、シートＰ上のトナー画像を定着させる。
【００１９】
定着ローラ４１ａ，４１ｂは、図示しない内蔵されたヒータによって定着に必要な温度となるように加熱されている。尚、定着ローラ４１ａのみにヒータを内蔵した構成であっても良い。また、定着ローラ４１ａ，４１ｂのニップ幅を広くするために、各ローラの表面にはゴム層が形成されている。定着ユニット４０でトナー画像が定着されたシートＰは排紙ローラ４４、４５により機外へ排出され画像形成工程が終了する。
【００２０】
図２は画像形成装置の電源構成を示すブロック図である。商用交流電源９９と直流電源１０１との間には、画像形成装置の主電源スイッチ１０２が設けられている。主電源スイッチオンされると、商用交流電源９９から交流電力が電源経路１１０，１３０を介して直流電源１０１へ供給される。直流電源１０１は、電力供給を受けると第一の電源電圧ＶＣＣ＿Ａ（５Ｖ）を生成し、制御回路１１２へ供給する。主電源スイッチ１０２には、主電源スイッチ１０２に同期してオンオフされ、主電源スイッチ１０２のオンオフ状態を検出するスイッチ検出信号出力手段として動作する検出スイッチ１０４が設けられている。検出スイッチ１０４の一方の端子には、直流電源１０１からのＶＣＣ＿Ａと接続され、他方の端子は制御回路１１２と接続され、スイッチ検出信号１０５として制御回路１１２へ入力される。すなわち、主電源スイッチ１０２がオンされると、検出スイッチ１０４も同期してオンされ、検出信号１０５はＶＣＣ＿Ａとほぼ同一の電位となる。また主電源スイッチ１０２がオフされると、検出スイッチ１０４も同期してオフされ、検出信号１０５はほぼゼロの電位となる。制御回路１１２は、このように変化する検出信号１０５に基づいて主電源スイッチ１０２のオンオフ状態を検知する。
【００２１】
商用交流電源９９と直流電源１０１との間には主電源スイッチ１０２を介した経路１１０とは並列に電源供給用の経路１１１が設けられる。経路１１１には制御回路１１２によりオンオフ制御されるリレー１０３が設けられる。制御回路１１２は、電源電圧ＶＣＣ＿Ａの供給により動作を開始すると、シャットダウン信号１０６（ハイレベル）をトランジスタ１２１へ出力する。トランジスタ１２１は、リレー１０３をオンさせるリレー駆動素子として機能し、ハイレベルのシャットダウン信号が入力されると、リレー１０３をオンさせる。リレー１０３がオンすると商用交流電源９９から交流電力が経路１１１，１３０を介して直流電源１０１へ供給される。従って、直流電源１０１には、２つの経路から交流電力が供給され、主電源スイッチ１０２がオフされてもリレー１０３がオフするまでは、経路１１１，１３０での交流電力の供給が維持される。制御回路１１２は、制御プログラムと種々のデータを格納したＲＯＭやＣＰＵを備えており、ＲＯＭに格納された情報にしたがって画像形成装置の制御を行う。
【００２２】
制御回路１１２は、主電源スイッチ１０２がオフされたことを示すスイッチ検知信号を受信すると、画像形成装置の動作終了処理を実行し、その処理が完了しだいシャットダウン信号１０６をローレベルに切り替える。これにより、第一のリレーの駆動素子１２１および第一のリレー１０３がオフし、画像形成装置はオフ状態になる。なお画像形成装置の動作終了処理の１つとして、後述する定着ローラ対４１の離間動作を含んでいる。
【００２３】
また、主電源スイッチ１０２がオンされることにより直流電源１０１に交流電力が供給されると、直流電源１０１は、さらに第一の電源電圧よりも高い第二の電源電圧ＶＣＣ＿Ｂ（２４Ｖ）を生成する。即ち、直流電源１０１は１系統の交流入力から２つの電源出力を生成し、第一の駆動手段としての第一の負荷駆動回路１１３に供給する。第一の負荷駆動回路１１３は画像形成装置の各負荷を駆動するものであり、例えば感光体ドラム１１などの各駆動部を回転駆動するモータ類１１６、一次帯電器１２等に高圧電源を供給する高圧電源類１１７、定着ユニット４０内のヒータ類１１８等である。第一の負荷駆動回路１１３への電源経路には第二のリレー１０９が設けられる。第二のリレー１０９は、検出スイッチ１０４を経由した駆動信号１２２によってオンオフされる。すなわち、主電源スイッチ１０２がオフされると画像形成装置がいかなる動作状態であっても、直流電源１０１から第一の負荷駆動回路１１３への電源出力ＶＣＣ＿Ｂの給電が直ちに遮断される。その結果、モータ類１１６、高圧電源類１１７、ヒータ類１１８を含む画像形成装置の各負荷が直ちにオフされるので、画像形成装置の安全性が確保される。
【００２４】
また、電源出力ＶＣＣ＿Ｂは第一の負荷駆動回路１１３への電源経路から分岐されて第二の駆動手段としての第二の負荷駆動回路１１４にも供給される。第二の負荷駆動回路１１４への電源経路は第二のリレーを介さないので、主電源スイッチ１０２がオフされても、第二の負荷駆動回路１１４へのＶＣＣ＿Ｂの給電は維持される。即ち、第二の負荷駆動回路１１４は、制御回路１１２からの制御信号に従って、定着ユニット４０内の定着ローラ４１ａと加圧ローラ４１ｂとを当接状態または離間状態に切り替えるためのモータ１１９を駆動する。主電源スイッチ１０２がオンされている状態においては、定着ローラ４１ａと定着ローラ４１ｂとは当接状態に制御される。従ってプリント時にシートＰが定着ユニット４０を通過した際に、シートＰ上に載ったトナー画像が加熱加圧されて定着される。
【００２５】
なお、定着ローラ４１ａと定着ローラ４１ｂとが回転停止したまま当接されている状態が長時間継続されると、その当接部分のゴム層が変形し、シートＰを加熱加圧させる際にムラが生じて画像不良が発生する惧れがある。従って、定着ローラ対４１が回転停止したまま当接されている状態が所定時間（例えば８時間）を経過した場合には、定着ローラ対４１を所定位相分だけ回転させて、定着ローラ４１ａと定着ローラ４１ｂとの当接位置をずらすようにしている。なお、定着ローラ対４１は第一の負荷駆動回路１１３に接続されているモータにより回転駆動される。
【００２６】
一方で、制御回路１１２および第一の負荷駆動回路１１３に電源が給電されていない状態においては、定着ローラ４１ａと定着ローラ４１ｂとの当接位置をずらすことができない。従って、主電源スイッチ１０２がオフされた際には、動作終了処理として、定着ローラ対４１を離間状態にさせる。これにより、定着ローラ対４１が同一の位置を加圧し続けることによる定着ローラ対４１の変形およびその変形による画像不良の発生を防止できる。
【００２７】
定着ローラ対４１の離間動作を図３を用いて説明する。図３（Ａ）は、定着ローラ対４１が離間していない状態を示しており、図３（Ｂ）は定着ローラ対４１が離間している状態を示している。偏心カム５２が図３（Ａ）の位置にあるときは、加圧バネ５１の作用により、定着ローラ４１ａと４１ｂとは当接している。モータ１１９が駆動され、偏心カム５２が図３（Ｂ）に示す位置に移動すると、加圧バネ５１が図の下方向に引っ張られ、定着ローラ４１ｂが定着ローラ４１ａから離間される。また、このとき、センサ５３が偏心カム５２を検知している状態となり、制御回路１１２がセンサ５３の信号を入力することにより定着ローラ対４１が離間されたことを認識する。尚、定着ローラ４１ｂを移動させる代わりに定着ローラ４１ａを移動させるように構成しても良い。
【００２８】
次に、制御回路１１２の制御を図４のフローチャートを用いて説明する。主電源スイッチ１０２がオンされて制御回路１１２が動作を開始すると、制御回路１１２はシャットダウン信号１０６をハイレベルにし（Ｓ１）、第一のリレーの駆動素子１２１および第一のリレー１０３をオンさせる。このことにより、交流電力の電源経路１１１からも直流電源１０１へ交流電力が供給される。従って、主電源スイッチ１０２がユーザによりオフされても、直流電源１０１への交流給電は遮断されずに、制御回路１１２への電源出力ＶＣＣ＿Ａの供給および、第２の負荷駆動回路１１４への電源出力ＶＣＣ＿Ｂの供給は継続されるようになる。
【００２９】
その後、制御回路１１２は、画像形成装置の初期化動作を行い（Ｓ２）、スイッチ検出信号１０５を定期的に監視してスイッチ検出信号１０５がローレベルになったか否か、即ち、主電源スイッチ１０２がオフされたか否かを判断する（Ｓ３）。制御回路１１２は、検出信号１０５がローレベルになったことを検出すると、定着ローラ対４１の離間動作を含む画像形成装置の動作終了処理を実行する（Ｓ４）。この動作終了処理には、他に記憶装置が書き込み中であれば書き込みを終了させる処理が含まれる。制御回路１１２は、第二の負荷駆動回路１１４を制御してモータ１１９を動作させ、定着ローラ対４１の離間させる。制御回路１１２は、離間処理を含む動作終了処理が終了したことを判断すると（Ｓ５）、シャットダウン信号をローレベルにする（Ｓ６）。これにより第一のリレー１０３がオフされ、直流電源１０１への交流電力の供給が遮断されて、画像形成装置への電源供給が全てオフになる。なお主電源スイッチ１０２がオフになるのと同時に、第一のリレーの駆動信号１２２がローレベルになり、第一のリレー１０９はオフする。これにより、第一の負荷駆動回路１１３がオフされて、第一の負荷駆動用回路に接続された高出力の負荷は即時安全に遮断されることになる。
【００３０】
ステップＳ３で、スイッチ検出信号１０５がハイレベルであるときは、制御回路１１２は、定着ローラ対４１の回転駆動を停止してから所定時間経過したか否かを判断する（Ｓ７）。所定時間経過していれば、制御回路１１２は、第１の負荷駆動回路１１３により定着ローラ対４１を回転駆動するモータを所定量動作させ（Ｓ８）、再び、スイッチ検出信号１０５の状態を監視する。所定時間経過していなければ、制御回路１１２は、像形成の指示がされているか否かを判断し（Ｓ９）、指示があれば、像形成動作を実行し（Ｓ１０）、再び、スイッチ検出信号１０５を監視する。
【００３１】
尚、ステップＳ８において、定着ローラ対４１を回転駆動する代わりに、定着ローラ対４１を離間させるようにしても良い。また、スイッチ検出信号１０５の監視は、メインルーチンではなく、周期的な割り込み処理により行うようにしても良い。
【００３２】
本実施形態によれば、主電源スイッチ１０２がいかなるタイミングでオフされた場合でも、ヒータ等の負荷を即時遮断して安全性を確保することができる。更に、定着ローラ対４１の離間処理を実行して、定着ローラが同一の位置を加圧し続けることによる定着ローラの変形および、その変形による画像不良の発生を防止することができる。
【００３３】
また、図５に示すような２系統の交流電力の供給ケーブルが不要となり、ケーブルのコストを抑えることができる。
【００３４】
さらに、図５に示すような２種類の直流電源電圧に対応しうる駆動回路を必要とせず、単一電源のみで動作する安価な構成とすることができるので、装置の低コスト化を図ることができる。
【符号の説明】
【００３５】
１０１  直流電源
１０２  主電源スイッチ
１０３  第一のリレー
１０４  検出スイッチ
１０９  第二のリレー
１１３  第一の負荷駆動回路
１１４  第二の負荷駆動回路
【図１】
0005558947.tif 000002
【図２】
0005558947.tif 000003
【図３】
0005558947.tif 000004
【図４】
0005558947.tif 000005
【図５】
0005558947.tif 000006